(57)【特許請求の範囲】
【請求項１】
下半筒部(2)を容器体口頸部外面への嵌合筒とし、上半筒部(8)の後部左右に切割り線を縦設してこれ等両切割り線間の上半筒部分を押し板(9)とした主筒(1)と、
上記上半筒部(8)内面へ第１透孔(12)付き第１頂板(13)から垂設した嵌合筒(14)を嵌合させると共に、嵌合筒(14)後部と上記上半筒部の後部との間に間隙を設け、嵌合筒後部下端から後方突設させた張出し板(15)後端から押し板(9)内面に沿ってバネ板(16を起立させ、該バネ板上端から帯板状の弾性屈曲部(17)を介して上後方へ突出させた蓋板(18)を、弾性に抗して第１頂板上面に沿って前方へ倒して第１透孔(12)を閉塞させ、該蓋板前端に付設した係合部(19)を第１頂板前部前面に付設した第２凹部(24)内へ嵌合させた蓋板付き部材(11)とからなり、
上記張出し板(15)から起立させた支持板(23)を上記弾性屈曲部(17)の上部内面に当接させて、
上記押し板(9)の前方押込みによる蓋板(18)の前方移動で第２凹部(24)から係合部(19)が外れると弾性屈曲部(17)の弾性復元で蓋板(18)が起立可能に形成したことを特徴とする自動開蓋する蓋板付きキャップ。
【請求項２】
上記主筒(1)の下半筒部(2)上端から内向きフランジ(3)を介して有頂筒部(4)を起立させ、又該有頂筒部上端の第２頂板(5)に第２透孔(6)を付設させ、その第２頂板(5)を第１透孔(12)内へ嵌合させた
ことを特徴とする、請求項１記載の自動開蓋する蓋板付きキャップ。
【請求項３】
上記押し板(9)の後面を、後方へ張出す突部に形成した
ことを特徴とする請求項１又は２記載の自動開蓋する蓋板付きキャップ。
【請求項４】
上記押し板(9)後面に複数の滑止め突条(9a)を横設した
ことを特徴とする請求項１、２又は３記載の自動閉塞する蓋板付きキャップ。
【請求項５】
上記弾性屈曲部(17)の左右両部に割溝(20)を縦設して、これ等両割溝間の帯板部分を弾性材で形成すると共にその帯板両側の板部分下部に肉薄ヒンジ(22)を設けた
ことを特徴とする請求項１、２、３又は４記載の自動開蓋する蓋板付きキャップ。
【請求項６】
上記押し板(9)上端の左右方向中間部に第１凹部(10)を形成し、又蓋板(18)が上後方へ起立した状態で第１凹部(10)内へ上記帯板が嵌合可能に形成した
ことを特徴とする、請求項５記載の自動開蓋する蓋板付きキャップ。
【発明の詳細な説明】
【技術分野】
【０００１】
本発明は係合部取外しにより自動開蓋する蓋板付きキャップに関する。
【背景技術】
【０００２】
容器本体上部へ嵌合させるキャップを、頂板付きのキャップ本体と、該キャップ本体の頂板に設けた口部開閉用の蓋体とで形成し、該蓋体基部を、キャップ本体後部に形成した嵌合穴内へ嵌着させる蓋体をキャップ本体上面上へ倒すことで頂板に設けた口部が閉塞されて、蓋体前部と口部前方に設けた係合部が係合して、該蓋体閉塞状態が保持され、又蓋体前方の押板を押下げすると上記係合部が外れ、すると蓋体基部の弾性復元で蓋体が起立し、開蓋するよう設けた容器が知られている（特許資料１）。
【特許文献１】特開平１１−４９２１０号公報
【発明の開示】
【発明が解決しようとする課題】
【０００３】
本発明は、容器体口頸部外面へ嵌合させる下半筒部上方から上半筒部を起立させた主筒と、該主筒の上半筒部内へ嵌合させた蓋板付き部材とで形成し、上記上半筒部の後部から起立させた押し板を前方へ押すと、蓋板付き部材頂板の左右方向中間部の前後方向上面を覆う蓋板が、該蓋板後部を支点として起立し、又該蓋板を前方へ倒すと蓋板前部に設けた係合部が頂板前部の前面に設けた凹部内へ嵌合して蓋板閉塞状態を保つよう設けたものである。
【課題を解決するための手段】
【０００４】
第１の手段として、下半筒部２を容器体口頸部外面への嵌合筒とし、上半筒部８の後部左右に切割り線を縦設してこれ等両切割り線間の上半筒部分を押し板９とした主筒１と、
上記上半筒部８内面へ第１透孔12付き第１頂板13から垂設した嵌合筒14を嵌合させると共に、嵌合筒14後部と上記上半筒部の後部との間に間隙を設け、嵌合筒後部下端から後方突設させた張出し板15後端から押し板９内面に沿ってバネ板16を起立させ、該バネ板上端から帯板状の弾性屈曲部17を介して上後方へ突出させた蓋板18を、弾性に抗して第１頂板上面に沿って前方へ倒して第１透孔12を閉塞させ、該蓋板前端に付設した係合部19を第１頂板前部前面に付設した第２凹部24内へ嵌合させた蓋板付き部材11とからなり、
上記張出し板15から起立させた支持板23を上記弾性屈曲部17の上部内面に当接させて、
上記押し板９の前方押込みによる蓋板18の前方移動で第２凹部24から係合部19が外れると弾性屈曲部17の弾性復元で蓋板18が起立可能に形成した。
【０００５】
第２の手段として上記第１の手段を有すると共に、上記主筒１の下半筒部２上端から内向きフランジ３を介して有頂筒部４を起立させ、又該有頂筒部上端の第２頂板５に第２透孔６を付設させ、その第２頂板５を第１透孔12内へ嵌合させた。
【０００６】
第３の手段として、上記第１、又は第２の手段を有すると共に、上記押し板９の後面を、後方へ張出す突部に形成した。
【０００７】
第４の手段として、上記第１、第２、又は第３の手段を有すると共に、上記押し板９後面に複数の滑止め突条９a を横設した。
【０００８】
第５の手段として、上記第１、第２、第３又は第４の手段を有すると共に、上記弾性屈曲部17の左右両部に割溝20を縦設して、これ等両割溝間の帯状部分を弾性材で形成すると共にその帯板両側の板部分下部に肉薄ヒンジ22を設けた。
【０００９】
第６の手段として上記第５の手段を有すると共に、上記押し板９上端の左右方向中間部に第１凹部10を形成し、又蓋板18が上後方へ起立した状態で第１凹部10内へ上記帯板が嵌合可能に形成した。
【発明の効果】
【００１０】
請求項１記載のようにすることで、押し板９を、前方押込みするだけで蓋板18が開蓋し、該蓋板を前方へ倒し、かつ該蓋板を押下げるだけで蓋板前端に付設した係合部19が第２凹部24内へ嵌合して蓋板閉塞状態を保持でき、よってその開閉蓋が極めて容易となる。
【００１１】
請求項２のようにすることで、容器体内収納物取り出し時に、その収納物が主筒の上半筒部８と蓋板付き部材11の嵌合筒14との間へ入ることがなく、その容器体内収納物が例えば粉体であっても確実に取り出すことが出来る。
【００１２】
請求項３のようにすることで、第１頂板13の第１透孔12内へ第２頂板５を嵌合でき、蓋板開蓋時の外見を良くすることが出来る。
【００１３】
請求項４のようにすることで押し板９の押込みが容易となる。
【００１４】
請求項５のようにすることで蓋板18の開閉蓋が容易となる。
【００１５】
請求項６のようにすることで、蓋板開蓋時における蓋板起立角度を一定とすることが出来る。
【発明を実施するための最良の形態】
【００１６】
以下図面について説明すると、１は容器体口頸部へ下半筒部２を嵌合させる主筒で、その下半筒部上端からは内向きフランジ３を介して有頂筒部４を起立させ、該有頂筒部上端の第２頂板５には第２透孔６を穿設している。該有頂筒部は、内向きフランジ前部を短く設け、かつ内向きフランジ後部は長く、かつ該後部内向きフランジ前端から上前方へ傾斜壁を設けて有頂筒部上部を下半筒部の前部から起立させている。下半筒部２の後部は、図２が示すように後方湾曲部を切落とした形状に垂直な平板７で形成している。
【００１７】
下半筒部２は上方へ延長させて上半筒部８とし、該上半筒部の後部左右には、切割り線を縦設して該切割り線間上部を押し板９に形成し、該押し板は図が示すように後方と上方とへ角部を位置させた断面三角形状としており、かつ上部の左右方向中間には第１凹部10を形成している。
【００１８】
上記主筒１の上半筒部内へは蓋板付き部材11を嵌合させている。該部材は第１透孔12付きの第１頂板13外周部から嵌合筒14を垂下させており、該嵌合筒後部と上半筒部後部との間に間隙を設け、嵌合筒後部14ａ下端から後方突出させた張出し板15後端から押し板９内面に沿ってバネ板16を起立させ、該バネ板上端から弾性屈曲部17を図３のように上後方へ起立させ、該弾性屈曲部上端から更に蓋板18を突出させている。
【００１９】
図示例にあっては、押し板９上方のバネ板16部分の左右方向中間の左右に割溝20、20を縦設して、それ等両割溝間の帯板部分をエラストマー等の弾性材で形成し、又その帯板21の左右両側の板部分下部に肉薄ヒンジ22、22を設けている。
【００２０】
押し板９後面には多数の滑止め突条９a を横設している。
【００２１】
また嵌合筒14の後部下端から後方突出させた後方張出し板15から支持板23を起立させ、該支持板上端が、図１が示す蓋板18閉蓋時において上記帯板21上部の内面へ当接するよう設けている。
【００２２】
蓋板は図１、図２が示すように弾性屈曲部17の弾性変形で第１頂板13上面に沿って前方へ倒すことが可能であり、該前方へ倒したとき、蓋板前端に付設した係合部19が、第１頂板13の前端前面に付設した第２凹部24内へ嵌合して蓋板閉塞状態を保持可能としている。該蓋板を前方へ倒したとき、該蓋板前部は第１頂板前部に穿設した第１透孔12を閉塞する。図示例にあっては第１透孔12内へ既述第２頂板５を嵌合させており、よって蓋板18前部は第１頂板13の左右方向中間部上面を覆い、同時に第２頂板５に穿設した第２透孔６も閉塞する。
【００２３】
図１が示す上記蓋板18閉塞状態において、押し板９を前方、即ち図左右へ押込むと、押し板内方のバネ板16部分が図左方へ押込まれ、すると蓋板18が図左方へ移動することで蓋板前方の係合部19が第２凹部24から外れ、すると弾性屈曲部17の弾性復元で、図３が示すように蓋板18は開蓋して起立する、該起立時において既述帯板21は押し板上端に設けた第１凹部10内へ入り、よって図示の位置に停止する。尚蓋板18の前部下面には第２透孔６閉塞用栓24を垂下している。
【図面の簡単な説明】
【００２４】
【図１】本発明キャップの縦断面図である。
【図２】図１キャップを後方からみた斜視図である。
【図３】開蓋状態で示す、図１キャップの縦断面図である。
【符号の説明】
【００２５】
１ 主筒 ２ 下半筒部
３ 内向きフランジ ４ 有頂筒部
５ 第２頂板 ６ 第２透孔
８ 上半筒部 ９ 押し板
11 蓋板付き部材 12 第１透孔
13 第１頂板 14 嵌合筒
15 張出し板 16 バネ板
17 弾性屈曲部 18 蓋板
21 帯板
【図１】
0004784986.tif 000002
【図２】
0004784986.tif 000003
【図３】
0004784986.tif 000004